(57)【要約】【課題】着用者のカップ部のフィット感を向上することができる衣類を提供する。【解決手段】ブラジャー１は、着用者のバストを覆う一対のカップ部１０、１１と、カップ部１０、１１の外側に延設され、着用者のバストの脇側と背中側を覆うバック部１２、１３と、を備えている。カップ部１０、１１を正面から見て、左右のカップ部１０、１１の頂点Ｓ１、Ｓ２を結ぶ第１の仮想直線Ｌ１と、各カップ部１０、１１の頂点Ｓ１、Ｓ２とバック部１２、１３の外側端部の中心点Ｓ３、Ｓ４とを結ぶ第２の仮想直線Ｌ２とのなす角αが、±５°以内である。【選択図】図８
2019127655.tif 000002
【特許請求の範囲】
【請求項１】
着用者のバストを覆う一対のカップ部と、
前記カップ部の外側に延設され、着用者のバストの脇側と背中側を覆うバック部と、を備え、
前記カップ部を正面から見て、左右のカップ部の頂点を結ぶ第１の仮想直線と、前記各カップ部の頂点と前記バック部の外側端部の中心点とを結ぶ第２の仮想直線とのなす角が、±５°以内である、衣類。
【請求項２】
前記カップ部の裏面の上部には、前記カップ部の裏面の他の部分よりも伸縮性が高く、上下方向の摩擦が大きい摩擦増大部が設けられている、請求項１に記載の衣類。
【請求項３】
前記摩擦増大部は、前記カップ部の裏面の上縁に沿って設けられている、請求項２に記載の衣類。
【請求項４】
前記摩擦増大部は、前記一対のカップ部の一方のカップ部の外側端部から他方のカップ部の外側端部まで連続的に設けられている、請求項２又は３に記載の衣類。
【請求項５】
前記摩擦増大部は、左右方向の摩擦よりも上下方向の摩擦の方が大きい、請求項２〜４のいずれかに記載の衣類。
【請求項６】
前記摩擦増大部は、前記カップ部の左右方向に向かって延設し、上下に並んだ複数の凸条部を有する、請求項２〜５のいずれかに記載に衣類。
【請求項７】
前記バック部の裏面には、前記カップ部の裏面の前記他の部分よりも伸縮性が高く、上下方向の摩擦が大きいバック摩擦増大部が設けられている、請求項２〜６のいずれかに記載の衣類。
【請求項８】
前記バック摩擦増大部は、前記バック部の裏面の全体に設けられている、請求項７に記載の衣類。
【請求項９】
前記バック摩擦増大部は、左右方向の摩擦よりも上下方向の摩擦の方が大きい、請求項７又は８に記載の衣類。
【請求項１０】
前記バック摩擦増大部は、前記バック部の左右方向に向かって延設し、上下に並んだ複数の凸条部を有する、請求項７〜９のいずれかに記載に衣類。
【請求項１１】
前記バック部には、左右方向に伸縮する伸縮テープが内蔵され、
前記伸縮テープは、前記バック摩擦増大部よりも左右方向の弾性回復率が高い、請求項７〜１０のいずれかに記載の衣類。
【請求項１２】
前記伸縮テープは、前記カップ部の前記摩擦増大部の外側の延長線上のバック部の上部に設けられている、請求項１１に記載の衣類。
【請求項１３】
前記伸縮テープは、前記バック部の下部にも設けられている、請求項１２に記載の衣類。
【請求項１４】
前記伸縮テープは、前記バック摩擦増大部の内側面に接着されている、請求項１２又は１３に記載の衣類。
【請求項１５】
前記カップ部から着用者の肩を通って前記バック部に接続されるストラップ部を備えていない、或いは前記ストラップ部を備えており、前記ストラップ部がこの衣類から取り外し自在である、請求項１〜１４のいずれかに記載の衣類。
【請求項１６】
前記カップ部の下部に沿って配置され、前記カップ部を保形するための保形部材を、さらに備え、
前記保形部材は、樹脂製である、請求項１〜１５のいずれかに記載の衣類。
【請求項１７】
請求項１〜１６のいずれかに記載の衣類はブラジャーである。
【発明の詳細な説明】
【技術分野】
【０００１】
本発明は、衣類及びブラジャーに関する。
【背景技術】
【０００２】
例えば女性用下着であるブラジャーは、着用者のバストを覆う一対のカップ部と、カップ部の外側に延設され、着用者のバストの脇側と背中側を覆うバック部を備えている。一般的に従来のブラジャーは、正面からみたときに、バック部がカップ部の下部付近から外方に延びており、カップ部に対するバック部の位置が低くなっている（特許文献１参照）。
【先行技術文献】
【特許文献】
【０００３】
【特許文献１】特開２０１５−２１２４３５号公報
【発明の概要】
【発明が解決しようとする課題】
【０００４】
しかしながら、上述の従来のブラジャーは、ブラジャーの着用者に対する締め付け力が主にカップ部の下部付近に作用するため、カップ部の頂部や上部は着用者の肌から浮き上がりやすくなり、着用者のカップ部のフィット感が低下する。特にカップ部を支持するストラップがないものやカップサイズの大きなものは、カップ部が浮き上がりやすくフィット感がより低下する。
【０００５】
本出願はかかる点に鑑みてなされたものであり、着用者のカップ部のフィット感を向上することができるブラジャーなどのカップ部を有する衣類を提供することをその目的とする。
【課題を解決するための手段】
【０００６】
本発明の一態様に係る衣類は、着用者のバストを覆う一対のカップ部と、前記カップ部の外側に延設され、着用者のバストの脇側と背中側を覆うバック部と、を備え、前記カップ部を正面から見て、左右のカップ部の頂点を結ぶ第１の仮想直線と、前記各カップ部の頂点と前記バック部の外側端部の中心点とを結ぶ第２の仮想直線とのなす角が、±５°以内である。
【０００７】
本態様によれば、装着時のカップ部の位置とバック部の位置が同程度になり、従来に比べてバック部の位置がカップ部の位置に対し相対的に上がるため、衣類の装着者に対する締め付け力がカップ部の全体で強く作用する。よって、着用者のカップ部のフィット感を向上することができる。
【０００８】
上記衣類は、前記カップ部の裏面の上部には、前記カップ部の裏面の他の部分よりも伸縮性が高く、上下方向の摩擦が大きい摩擦増大部が設けられていてもよい。なお、「カップ部の裏面の上部」とは、カップ部の上半分の一部又は全部をいう。
【０００９】
本態様によれば、摩擦増大部の伸縮性によりカップ部の上部が着用者のバストの上部に密着しやすくなり、さらにそのカップ部の上部において摩擦増大部の摩擦によりカップ部のずり落ちが抑制される。よって、着用者のカップ部のフィット感を向上しつつ、カップ部のずり落ちを抑制することができる。
【００１０】
摩擦増大部は、カップ部の裏面の上縁に沿って設けられていてもよい。この態様によれば、着用者に対し摩擦増大部を効果的な位置に配置し、カップ部のずり落ちをより効果的に抑制することができる。
【００１１】
摩擦増大部は、前記一対のカップ部の一方のカップ部の外側端部から他方のカップ部の外側端部まで連続的に設けられていてもよい。この態様によれば、左右のカップ部の全体に亘り連続的に摩擦を生じさせることができるので、カップ部のずり落ちをより効果的に抑制することができる。
【００１２】
前記摩擦増大部は、左右方向の摩擦よりも上下方向の摩擦の方が大きくてもよい。この態様によれば、摩擦増大部は上下方向に摩擦が大きく、左右方向に対して相対的に動きやすくなる。この結果、摩擦増大部のバストの上部に対する密着性を向上でき、カップ部のずり落ちをより効果的に抑制することができる。
【００１３】
前記摩擦増大部は、前記カップ部の左右方向に向かって延設し、上下に並んだ複数の凸条部を有するようにしてもよい。これにより、摩擦増大部の上下方向の摩擦を好適に増大させることができる。
【００１４】
前記バック部の裏面には、前記カップ部の裏面の前記他の部分よりも伸縮性が高く、上下方向の摩擦が大きいバック摩擦増大部が設けられていてもよい。この態様によれば、バック部においても着用者との密着性と摩擦が増大し、この結果、カップ部のずり落ちをより効果的に抑制することができる。特に、カップ部に摩擦増大部があり、バック部にバック摩擦増大部があることにより、着用者の胴体の全周に亘り摩擦を増大でき、衣類の一部のずり落ちに起因してカップ部がずり落ちることを抑制することができる。
【００１５】
前記バック摩擦増大部は、前記バック部の裏面の全体に設けられていてもよい。この態様によれば、バック部の摩擦を最大限作用させることができる。
【００１６】
前記バック摩擦増大部は、左右方向の摩擦よりも上下方向の摩擦の方が大きくてもよい。この態様によれば、バック摩擦増大部は、上下方向に摩擦が大きく、左右方向に対して相対的に動きやすくなる。この結果、バック摩擦増大部の着用者に対する密着性を向上でき、カップ部のずり落ちをより効果的に抑制することができる。
【００１７】
前記バック摩擦増大部は、前記バック部の左右方向に向かって延設し、上下に並んだ複数の凸条部を有するようにしてもよい。この態様によれば、バック摩擦増大部の上下方向の摩擦を好適に増大させることができる。
【００１８】
前記バック部には、左右方向に伸縮する伸縮テープが内蔵され、前記伸縮テープは、前記バック摩擦増大部よりも左右方向の弾性回復率が高くてもよい。この態様によれば、伸縮テープにより衣類の着用者に対する締め付け力が向上し、それによってカップ部の摩擦増大部と着用者のバストとの密着性や、バック部のバック摩擦増大部と着用者との密着性が向上する。この結果、カップ部の摩擦増大部やバック部のバック摩擦増大部と着用者との間に大きな摩擦が作用し、カップ部のずり落ちを効果的に抑制することができる。
【００１９】
前記伸縮テープは、前記カップ部の摩擦増大部の外側の延長線上のバック部の上部に設けられていてもよい。この態様によれば、伸縮テープの伸縮力が摩擦増大部に直接的或いは効果的に作用し、摩擦増大部を着用者のバストにより密着させることができる。この結果、カップ部の摩擦増大部と着用者との間に大きな摩擦が作用し、カップ部のずり落ちを効果的に抑制することができる。
【００２０】
前記伸縮テープは、前記バック部の下部にも設けられていてもよい。この態様によれば、伸縮テープにより衣類の着用者に対する締め付け力がさらに向上し、それによってカップ部の摩擦増大部と着用者のバストとの密着性や、バック部のバック摩擦増大部と着用者との密着性が向上する。この結果、カップ部の摩擦増大部やバック部のバック摩擦増大部と着用者との間に大きな摩擦が作用し、カップ部のずり落ちを効果的に抑制することができる。
【００２１】
前記伸縮テープは、前記バック摩擦増大部の内側面に接着されていてもよい。この態様によれば、伸縮テープによりバック摩擦増大部が着用者にしっかり押さえられ、この結果、バック摩擦増大部と着用者との密着性が向上し、バック摩擦増大部と着用者との間の摩擦が効果的に増大するので、カップ部のずり落ちも効果的に抑制することができる。
【００２２】
前記カップ部から着用者の肩を通って前記バック部に接続されるストラップ部を備えていない、或いは前記ストラップ部を備えており、前記ストラップ部がこの衣類から取り外し自在であってもよい。この態様によれば、ストラップ部を使用しない場合であっても、着用者のカップ部のフィット感を向上することができる。
【００２３】
以上の衣類は、前記カップ部の下部に沿って配置され、前記カップ部を保形するための保形部材を、さらに備え、前記保形部材は、樹脂製であってもよい。この態様によれば、保形部材が着用者のバストの形状に応じて変形し、カップ部と着用者のバストとの密着性をさらに向上できる。この結果、着用者のカップ部のフィット感をさらに向上することができる。
【００２４】
以上の衣類はブラジャーであってもよい。
【発明の効果】
【００２５】
本発明によれば、着用者のカップ部のフィット感を向上することができる衣類を提供することができる。
【図面の簡単な説明】
【００２６】
【図１】ブラジャーの表面から見た正面図である。
【図２】ブラジャーの裏面から見た裏面図である。
【図３】図１のカップ部のA-A断面を示す説明図である。
【図４】カップ部の摩擦増大部の拡大図である。
【図５】バック部の裏面図である。
【図６】図５のB-B断面図である。
【図７】バック部のバック摩擦増大部の拡大図である。
【図８】ブラジャーを正面からみたときの仮想線を説明するための図である。
【図９】ブラジャーの装着状態を示す説明図である。
【発明を実施するための形態】
【００２７】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００２８】
図１は、本実施の形態にかかる衣類としてのブラジャー１の一例を正面から見た図である。図２は、ブラジャー１を裏面から見た図である。ブラジャー１は、例えば、着用者のバストを覆う一対のカップ部１０、１１と、カップ部１０、１１の外側に延設され、着用者のバストの脇側と背中側を覆うバック部１２、１３と、バック部１２、１３の外側に延設され、バック部１２、１３同士を係止する係止部１４、１５と、カップ部１０、１１から着用者の肩を通ってバック部１２、１３に接続されるストラップ部１６、１７とを備えている。例えばカップ部１０、１１、バック部１２、１３及び係止部１４、１５は、それぞれの部分が別々に作られ、互いに縫製等により接続されている。
【００２９】
カップ部１０、１１は、全体が正面から見て左右方向に長い帯状に形成されている。左右の各カップ部１０、１１は、着用者のバストの形状に対応して前方に凸の椀状に形成されている。各カップ部１０、１１の上縁は、正面から見て上に凸に湾曲している。各カップ部１０、１１の接続部分（カップ部１０、１１の中央部）２０の上縁は、下に凸に湾曲している。よって、カップ部１０、１１の全体の上縁は、略Ｍ字型を有している。各カップ部１０、１１の下縁は、わずかに下に凸に湾曲している。カップ部１０、１１の中央部２０の下縁は、わずかに上に凸に湾曲している。よって、カップ部１０、１１の全体の下縁は、略Ｗ字型を有している。
【００３０】
カップ部１０、１１は、図３に示すように複数層からなる積層構造を有している。カップ部１０、１１は、例えば裏面から前面に向けて、裏地層３０と、内部内側層３１と、内部中央層３２と、内部外側層３３と、表地層３４をこの順で備えている。
【００３１】
表地層３４は、例えばナイロン繊維により構成されている。内部内側層３１、内部中央層３２及び内部外側層３３は、例えばウレタンフォームにより成型されている。内部中央層３２は、例えばカップ部１０の上下方向の中央付近から下部に亘って設けられている。よって、カップ部１０の上部には内部中央層３２はなく、内部内側層３１と内部外側層３３が直接接している。カップ部１０、１１の下部の内部中央層３２と内部外側層３３との間には、後述の樹脂ワイヤー６０が通っている。なお、表地層３４の素材は、特に限定されないが、摩擦が小さい素材であればよく、他にポリエステル、レーヨンなどの長繊維であってもよい。内部内側層３１、内部中央層３２及び内部外側層３３の素材は、特に限定されないが、伸縮性のある素材が好ましい。
【００３２】
裏地層３０は、上部とそれ以外の部分で分けられた２つの異なる生地から構成されている。裏地層３０の上部には、カップ部１０、１１の上縁に沿った摩擦増大部４０が形成されている。裏地層３０の摩擦増大部４０以外の部分には、裏地部４１が形成されている。摩擦増大部４０は、裏地部４１よりも伸縮性が高く、上下方向の摩擦（摩擦係数）が大きい。
【００３３】
図２に示すように例えば摩擦増大部４０は、細長で一定の上下幅を有する帯状に形成されている。摩擦増大部４０の上下幅は、着用者の乳頭（カップ部の頂点付近）にかからないくらいの４０ｍｍ以下が好ましい。摩擦増大部４０は、弾性繊維を含む所定の編物組織を備え、高い伸縮性を備えている。図４に示すように摩擦増大部４０は、その編物組織によって、カップ部１０、１１の左右方向に向かって延設し、上下に並んだ複数の凸条部５０を備えている。なお、図４は、カップ部１１の摩擦増大部４０を示すが、カップ部１０は、カップ部１１と左右対称であり、カップ部１１と同様の構成を有している。これにより、摩擦増大部４０は、左右方向の摩擦よりも上下方向の摩擦の方が大きくなっている。摩擦増大部４０の繊維には、例えばウレタン繊維やナイロン繊維が用いられている。凸条部５０の繊維には、ウレタン繊維などの弾性繊維が用いられている。
【００３４】
図２に示すように摩擦増大部４０は、カップ部１０の外側端部１０ａからカップ部１１の外側端部１１ａまで連続的に設けられている。すなわち、摩擦増大部４０は、中央部２０を含むカップ部１０、１１の全体の上部に亘って略Ｍ字状に形成されている。
【００３５】
裏地層３０における摩擦増大部４０以外の部分の裏地部４１は、例えば弾性が低く摩擦も小さいナイロン繊維の生地で形成されている。これにより、裏地部４１は、摩擦増大部４０に比べて、伸縮性が低く、摩擦が小さくなっている。なお、裏地部４１の素材は、同じナイロン繊維でも表地層３４よりも摩擦抵抗（滑らない）があるもの、例えば表地層３４よりも細い糸からなるものがよい。裏地部４１は、綿素材や、起毛のある素材でもよい。
【００３６】
各カップ部１０、１１には、カップ部１０、１１を保形するための保形部材としての樹脂ワイヤー６０が設けられている。樹脂ワイヤー６０は、樹脂製であり、金属に比べて可撓性が高く軽い。樹脂ワイヤー６０は、カップ部１０、１１の下部に下に凸の湾曲状に配置されている。樹脂ワイヤー６０は、図３に示したように内部中央層３２と内部外側層３３との間に挟まれている。また、図２に示すように各カップ部１０、１１の外側端部１０ａ、１１ａ付近にも樹脂ワイヤー７０が設けられている。樹脂ワイヤー７０は、上下方向に直線状に配置されている。
【００３７】
図５に示すようにバック部１２、１３は、外側に行くにつれて上下幅が小さくなる略長方形に形成されている。バック部１２、１３は、例えば図６に示すように表地層８０と、裏地層８１と、伸縮テープ８２、８３を備えている。表地層８０は、カップ部１０、１１の表地層３４及び裏地層３０の裏地部４１と同じ材質、例えばナイロン繊維により構成されている。なお、表地層８０の素材は、特に限定されないが、摩擦が小さい素材であればよく、他にポリエステル、レーヨンなどの長繊維であってもよい。
【００３８】
例えば図７に示すように裏地層８１は、カップ部１０、１１の裏地層３０の裏地部４１よりも伸縮性が高く、上下方向の摩擦が大きいバック摩擦増大部９０になっている。バック摩擦増大部９０は、バック部１２、１３の裏面の全体に設けられている。なお、本明細書において「バック部の裏面の全体」とは、裏面の全面のみならず、ほぼ裏面全面のものも含まれ、例えば本実施の形態のように外枠部分を除く裏面の全面であってもよい。また、図５乃至図７は、バック部１３を示しているが、バック部１２は、バック部１３と左右対称であり、同じ構成を有している。
【００３９】
例えばバック摩擦増大部９０は、摩擦増大部４０と同様に弾性繊維を含む所定の編物組織を備え、高い伸縮性を備えている。バック摩擦増大部９０は、その編物組織によって、バック部１２、１３の左右方向に向かって延設し、上下に並んだ複数の凸条部１００を備えている。これにより、バック摩擦増大部９０は、左右方向の摩擦よりも上下方向の摩擦の方が大きくなっている。バック摩擦増大部９０の繊維には、例えばウレタン繊維やナイロン繊維が用いられている。凸条部１００の繊維には、ウレタン繊維などの弾性繊維が用いられている。
【００４０】
図５及び図６に示す伸縮テープ８２、８３は、例えばゴムテープであり、裏地層８１のバック摩擦増大部９０よりも左右方向の弾性回復率が高い（弾性回復性が強い）。伸縮テープ８２、８３は、表地層８０と裏地層８１の間に内蔵されており、外部に露出していない。
【００４１】
図５に示すように伸縮テープ８２、８３は、バック部１２、１３の裏地層８１の両端に亘り左右方向に延設されている。伸縮テープ８２、８３は、バック部１２、１３の上部と下部にそれぞれ設けられている。上部の伸縮テープ８２は、カップ部１０、１１の摩擦増大部４０の外側の延長線上に設けられている。伸縮テープ８２は、摩擦増大部４０と同程度の上下幅を有している。下部の伸縮テープ８３は、バック部１２、１３の下縁に沿って設けられている。
【００４２】
図６に示すように伸縮テープ８２、８３は、裏地層８１のバック摩擦増大部９０の内側面に例えば縫製により接着されている。伸縮テープ８２、８３は、表地層８０には接着されていない。なお、伸縮テープ８２、８３の接着方法は、特に限定されるものではなく、ボンディングなどの圧着、熱圧着等であってもよい。
【００４３】
バック部１２、１３は、図８に示すようにブラジャー１を正面から見て、カップ部１０、１１と同程度の高さにあり、従来のものよりもカップ部１０、１１に対し高い位置に設けられている。すなわちカップ部１０、１１を正面から見て、左右のカップ部１０、１１の頂点（紙面方向に最も高い位置）Ｓ１、Ｓ２を結ぶ第１の仮想直線Ｌ１と、各カップ部１０、１１の頂点Ｓ１、Ｓ２と各バック部１２、１３の外側端部の中心点Ｓ３、Ｓ４とを結ぶ第２の仮想直線Ｌ２とのなす角α（仮想直線Ｌ１を基準に下に向かう方向を正とする。）が、±５°以内、好ましくは＋２°以下−５°以上、さらに好ましくは±２°以内である。なお、中心点Ｓ３、Ｓ４は、各バック部１２、１３の外側端部の上下方向の線（バック部１２、１３の係止部１４、１５との間の境界線）の中心である。
【００４４】
バック部１２、１３の下端辺の長さＤ２は、上端辺の長さＤ１と同程度、または上端辺の長さＤ１よりも長く、例えばバック部１２、１３の上端辺の長さＤ１と下端辺の長さＤ２との比（Ｄ１/Ｄ２）が、１以下、好ましくは１．０未満０．８以上になっている。また、上端辺の長さＤ１と下端辺の長さＤ２の差が、５％から１５％であり、好ましくは１３％程度である。さらに、ブラジャー１を正面から見て、バック部１２、１３のカップ部１０、１１との境界線９５と仮想直線Ｌ１に対し直角の上下方向に通る仮想直線Ｌ３とのなす角β（仮想直線Ｌ３を基準に内側に向かう方向を正とする。）が、０°以上５°以下になっている。さらに、カップ部１０、１１の最下端同士を結んだ仮想直線Ｌ４は、バック部１２、１３に重なることがない。
【００４５】
係止部１４、１５は、一方にフックが設けられ、他方にそのフックを留める留め具が設けられている。
【００４６】
ストラップ部１６、１７は、各カップ部１０、１１の左右方向の中央付近の上端から各バック部１２、１３の左右方向の中央付近の上端に接続されている。ストラップ部１６、１７は、例えばブラジャー１の本体から取り外し自在である。
【００４７】
本実施の形態によれば、カップ部１０、１１を正面から見て、左右のカップ部１０、１１の頂点Ｓ１、Ｓ２を結ぶ第１の仮想直線Ｌ１と、各カップ部１０、１１の頂点Ｓ１、Ｓ２とバック部１２、１３の外側端部の中心点Ｓ３、Ｓ４を結ぶ第２の仮想直線Ｌ２とのなす角αが、±５°以内であるので、装着時のカップ部１０、１１の位置とバック部１２、１３の位置が同程度になり、従来に比べてバック部１２、１３の位置がカップ部１０、１１の位置に対し相対的に上がっている。ちなみに従来のブラジャーは、カップ部に対しバック部が下がっていて、角αが+２０°以上あり、バック部の下端辺の長さは、上端辺の長さよりも短い。本実施の形態によれば、図９に示すようにバック部１２、１３を互いに係止したときの着用者に対するブラジャー１の締め付け力がカップ部１０、１１の全体に強く作用するので、ブラジャー１のカップ部１０、１１と着用者との密着性が向上する。この結果、着用者のカップ部１０、１１のフィット感を向上することができる。また、カップ部１０、１１のずり落ちを抑制することもできる。
【００４８】
本実施の形態によれば、カップ部１０、１１の裏面の上部にカップ部１０、１１の裏面の他の部分（裏地部４１）よりも伸縮性が高く、上下方向の摩擦が大きい摩擦増大部４０が設けられている。摩擦増大部４０の伸縮性によりカップ部１０、１１の上部が着用者のバストの上部に密着しやすくなり、さらにそのカップ部１０、１１の上部において摩擦増大部４０の摩擦によりカップ部１０、１１のずり落ちが抑制される。よって、着用者のカップ部１０、１１のフィット感を向上しつつ、カップ部１０、１１のずり落ちを抑制することができる。
【００４９】
摩擦増大部４０は、カップ部１０、１１の裏面の上縁に沿って設けられているので、摩擦増大部４０を効果的な位置に配置し、カップ部１０、１１のずり落ちをより効果的に抑制することができる。
【００５０】
摩擦増大部４０は、一方のカップ部１０の外側端部１０ａから他方のカップ部１１の外側端部１１ａまで連続的に設けられているので、カップ部１０、１１の中央部２０（バストの谷間部分）でも摩擦増大部４０が途切れることなく、左右のカップ部１０、１１の全体に亘り連続的に摩擦増大部４０の摩擦を生じさせることができる。この結果、カップ部１０、１１のずり落ちをより効果的に抑制することができる。
【００５１】
摩擦増大部４０は、左右方向の摩擦よりも上下方向の摩擦の方が大きいので、摩擦増大部４０は上下方向に摩擦が大きく、左右方向に対して相対的に動きやすくなる。この結果、摩擦増大部４０のバストの上部に対する密着性を向上でき、この結果、カップ部１０、１１のずり落ちをより効果的に抑制することができる。
【００５２】
摩擦増大部４０は、カップ部１０、１１の左右方向に向かって延設し、上下に並んだ複数の凸条部５０を有している。これにより、摩擦増大部４０の上下方向の摩擦を好適に増大させることができる。
【００５３】
バック部１２、１３の裏面には、カップ部１０、１１の裏面の摩擦増大部４０の他の部分（裏地部４１）よりも伸縮性が高く、上下方向の摩擦が大きいバック摩擦増大部９０が設けられている。これにより、バック部１２、１３においても着用者との密着性と摩擦が増大し、この結果、カップ部１０、１１のずり落ちをより効果的に抑制することができる。特に、カップ部１０、１１に摩擦増大部４０があり、バック部１２、１３にバック摩擦増大部９０があることにより、着用者の胴体の全周に亘り摩擦を増大でき、ブラジャー１の一部のずり落ちに起因してカップ部１０、１１がずり落ちることを抑制することができる。
【００５４】
バック摩擦増大部９０は、バック部１２、１３の裏面の全体に設けられているので、バック部１２、１３の摩擦を最大限作用させることができる。
【００５５】
バック摩擦増大部９０は、左右方向の摩擦よりも上下方向の摩擦の方が大きいので、バック摩擦増大部９０は、上下方向に摩擦が大きく、左右方向に対して相対的に動きやすくなる。この結果、バック摩擦増大部９０の着用者に対する密着性を向上でき、カップ部１０、１１のずり落ちをより効果的に抑制することができる。
【００５６】
バック摩擦増大部９０は、バック部１２、１３の左右方向に向かって延設し、上下に並んだ複数の凸条部１００を有する。これにより、バック摩擦増大部９０の上下方向の摩擦を好適に増大させることができる。
【００５７】
バック部１２、１３には、左右方向に伸縮する伸縮テープ８２、８３が内蔵され、伸縮テープ８２、８３は、バック摩擦増大部９０よりも左右方向の弾性率が高い。これにより、伸縮テープ８２、８３によりブラジャー１の着用者に対する締め付け力が向上し、それによってカップ部１０、１１の摩擦増大部４０と着用者のバストとの密着性（フィット性）や、バック部１２、１３のバック摩擦増大部９０と着用者との密着性（フィット性）が向上する。この結果、カップ部１０、１１の摩擦増大部４０やバック部１２、１３のバック摩擦増大部９０と着用者との間に大きな摩擦が作用し、カップ部１０、１１のずり落ちを効果的に抑制することができる。
【００５８】
伸縮テープ８２は、カップ部１０、１１の摩擦増大部４０の外側の延長線上のバック部１２、１３の上部に設けられているので、伸縮テープ８２の伸縮力が摩擦増大部４０に直接的或いは効果的に作用し、摩擦増大部４０を着用者のバストに密着させることができる。この結果、カップ部１０、１１の摩擦増大部４０と着用者との間に大きな摩擦が作用し、カップ部１０、１１のずり落ちを効果的に抑制することができる。
【００５９】
伸縮テープ８３は、バック部１２、１３の下部にも設けられているので、カップ部１０、１１の摩擦増大部４０と着用者のバストとの密着性やバック部１２、１３のバック摩擦増大部９０と着用者との密着性が向上する。この結果、カップ部１０、１１の摩擦増大部４０やバック部１２、１３のバック摩擦増大部９０と着用者との間に大きな摩擦が作用し、カップ部１０、１１のずり落ちを効果的に抑制することができる。
【００６０】
伸縮テープ８２、８３は、バック摩擦増大部９０の内側面に接着されているので、伸縮テープ８２、８３によりバック摩擦増大部９０が着用者にしっかり押さえられる。この結果、バック摩擦増大部９０と着用者との密着性が向上し、バック部１２、１３とバック摩擦増大部９０の間の摩擦が効果的に増大するので、カップ部１０、１１のずり落ちも効果的に抑制することができる。
【００６１】
ブラジャー１が、カップ部１０、１１から着用者の肩を通ってバック部１２、１３に接続されるストラップ部１６、１７を備えており、ストラップ部１６、１７がこのブラジャー１から取り外し自在である。すなわち、ブラジャー１は、ストラップ部１６、１７を使用しないで装着できるものである。ストラップ部１６、１７を使用しない場合、使用する場合に比べてカップ部１０、１１が着用者から離れたり、ずり落ちやすくなるが、本実施の形態によれば、カップ部１０、１１が着用者から離れることやカップ部１０、１１がずり落ちることを十分に抑制することができる。またストラップ部１６、１７を使用しない場合、カップサイズの大きなものは特にずり落ちやすくなり実質的に使用が困難であったが、本実施の形態によれば、大きなカップサイズのブラジャー１でも、ストラップ部１６、１７を取り付けずに使用することができる。
【００６２】
ブラジャー１は、カップ部１０、１１の下部に沿って配置され、カップ部１０、１１を保形するための樹脂ワイヤー６０を備えている。樹脂ワイヤー６０は、金属ワイヤーよりも軽く、変形しやいため、着用者のバストの形状に応じて変形し、カップ部１０、１１と着用者のバストとの密着性をさらに向上できる。この結果、着用者のカップ部１０、１１のフィット感を向上することができる。また着用者に対するカップ部１０、１１の摩擦が増大し、カップ部１０、１１のずり落ちを抑制することができる。
【００６３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００６４】
例えば上記実施の形態における摩擦増大部４０及びバック摩擦増大部９０の編物組織は、上記実施の形態のものに限られない。バック摩擦増大部９０はあってもなくてもよい。摩擦増大部４０、バック摩擦増大部９０の位置や形状も上記実施の形態のものに限られない。例えば摩擦増大部４０は、左右方向に途中で途切れるものであってもよい。以上の実施の形態では、カップ部１０、１１とバック部１２、１３が別々に形成され、互いに縫合されていたが、カップ部１０、１１とバック部１２、１３が一体成型されたものであってもよい。以上の実施の形態では、ストラップ部１６、１７が取り外し自在なものであったが、ブラジャー１は、元々ストラップ部１６、１７を備えないものであってもよい。以上の実施の形態では、衣類がブラジャーであったが、一対のカップ部を備えるものであれば、カップ部付きの他の下着等の衣類にも適用できる。
【００６５】
なお、参考までに、衣類は、着用者のバストを覆う一対のカップ部と、前記カップ部の外側に延設され、着用者のバストの脇側と背中側を覆うバック部と、を備え、前記カップ部の裏面の上部には、前記カップ部の裏面の他の部分よりも伸縮性が高く、上下方向の摩擦が大きい摩擦増大部が設けられているものであってもよい。この衣類のカップ部、バック部、摩擦増大部等の構成は、例えば上記実施の形態と同様である。この衣類によれば、カップ部のずり落ちを抑制することができる。
【産業上の利用可能性】
【００６６】
本発明は、着用者のカップ部のフィット感を向上することができる衣類を提供する際に有用である。
【符号の説明】
【００６７】
１  ブラジャー
１０、１１  カップ部
１２、１３  バック部
１６、１７  ストラップ部
４０  摩擦増大部
８２、８３  伸縮テープ
９０  バック摩擦増大部
【図１】
2019127655.tif 000003
【図２】
2019127655.tif 000004
【図３】
2019127655.tif 000005
【図４】
2019127655.tif 000006
【図５】
2019127655.tif 000007
【図６】
2019127655.tif 000008
【図７】
2019127655.tif 000009
【図８】
2019127655.tif 000010
【図９】
2019127655.tif 000011